(57)【要約】      （修正有）【課題】重ね合わせることができる幾何学形状の切断用器具を含む家庭用電気調理器に関し、さらに円錐台のような形状にされた切断用器具を保管するための保管機構と前記保管機構を有する家庭用電気器具を提供する。【解決手段】重ね合わされた少なくともいくつかの切断用器具８ａ、８ｂ、８ｃ、８ｄ、８ｅを収容し覆うことができるフード１６であって、食品を調理するための家庭用電気器具に固定するための手段１７を有するフードを含む。フード内で重ね合わせられた切断用器具を保持するためのリング保持用リング２０を含み、フードのための固定用手段は、保持用リングを固定するための相補的手段２３と係合することができ、保持用リングは、重ね合わせられた切断用器具を固定し、複数の切断用器具がフードの内側で保持可能とされるための少なくとも１つの当り止め２４を有することを特徴とする。【選択図】図５
0003186292.tif 000002
【実用新案登録請求の範囲】
【請求項１】
互いに内側に重ね合わされた複数の切断用器具（８、８ａ、８ｂ、８ｃ、８ｄ、８ｅ）の少なくともいくつかを収容し少なくとも部分的に覆うためのフード（１６、１６’）であって食品を調理するための家庭用電気器具（１）におけるロック機構（１７、１７’）を含むフードを含み、重ね合わせた前記切断用器具（８、８ａ、８ｂ、８ｃ、８ｄ、８ｅ）を保管するための機構（１９、１９’）であって、
前記フード（１６、１６’）内に重ね合わされた前記切断用器具（８、８ａ、８ｂ、８ｃ、８ｄ、８ｅ）のための固定用リング（２０、２０’）を含み、
前記フード（１６、１６’）のための前記ロック機構（１７、１７’）が、前記フードの内側で前記複数の器具を少なくとも部分的に保持する前記リングに対し前記積み重ねられた切断用器具（８、８ａ、８ｂ、８ｃ、８ｄ、８ｅ）のための少なくとも１つのロック用当り止め（２４、２４’）を含む前記固定用リング（２０、２０’）の付加的なロック機構（２３、２３’）と接触するように設計されていることを特徴とする保管機構（１９、１９’）。
【請求項２】
前記固定用リング（２０、２０’）は、環状型の本体（２１）と、フード（１６、１６’）のロック機構（１７、１７’）に加えて前記ロック機構（２３、２３’）からなる外壁と、内壁において切断用器具のための少なくとも１つのロック用当り止め（２４）と、を含む請求項１に記載の保管機構（１９、１９’）。
【請求項３】
前記固定用リング（２０、２０’）において、フード（１６、１６’）のロック機構（１７、１７’）は、クリップ式、ネジ式またはソケット式のロック機構などの部類のうちの一つから選択される請求項１または請求項２に記載の保管機構（１９）。
【請求項４】
本発明の前記保管機構の前記固定用リング（２０、２０’）の前記ロック機構は、前記固定用リング（２０、２０’）の前記外壁に突出する少なくとも１つの連続した帯状片（２３、２３’）、または、前記外壁に均一に広がって突出する複数の部分を含む請求項１乃至請求項３のうちのいずれかに記載の保管機構。
【請求項５】
前記保管機構の前記固定用リング（２０、２０’）は、食品を調理するための家庭用電気器具（１）における取付要素（２６、２６’）も含む請求項１乃至請求項４のうちのいずれかに記載の保管機構。
【請求項６】
前記フード（１６、１６’）は、互いに内側に積み重ねられた切断用器具（８、８ａ、８ｂ、８ｃ、８ｄ、８ｅ）の外郭に合うように形作られる請求項１乃至請求項５のうちのいずれかに記載の保管機構（１９、１９’）。
【請求項７】
前記複数の切断用器具（８、８ａ、８ｂ、８ｃ、８ｄ、８ｅ）は、同一の大きさである請求項１乃至請求項６のうちのいずれかに記載の保管機構（１９、１９’）。
【請求項８】
前記フード（１６）は、付属品（５）における該ロック用フード（１６）内の所定位置に収容された切断用器具（８、８ａ、８ｂ、８ｃ、８ｄ、８ｅ）の少なくともいくつかを見ることができる少なくとも１つの開口（１６３）を有する請求項１乃至請求項７のうちのいずれかに記載の保管機構。
【請求項９】
電動機および該電動機のための電気制御部（４）を取り囲むケース（３）からなる電動機付のベース（２）と、複数の切断用器具（８、８ａ、８ｂ、８ｃ、８ｄ、８ｅ）を保持するための収納室（７、７’）を含む前記電動機付のベースと切り離すことが出来ない一部分である付属品（５）とを有する食品を調理するための家庭用電気器具（１）であって、一組の前記切断用器具（８、８ａ、８ｂ、８ｃ、８ｄ、８ｅ）は、前記付属品の収納室（７、７’）、前記付属品の収納室内に装着された前記切断用器具を回転させるための接続駆動機構、請求項１に記載の切断用器具を重ね合わせるための保管機構（１９、１９’）も含む前記付属品の収納室内で互いに内側に積み重ねられた前記切断用器具のためのロック用フード（１６、１６’）が積み重ねられるために切断用器具が互いに内側に重ね合わせることができるように形作られ、前記保管機構は、互いに内側に重ね合わされた切断用器具のための固定用リング（２０、２０’）と嵌めあうロック用フード（１６、１６’）を含む家庭用電気器具。
【請求項１０】
前記保管機構（１９、１９’）の固定用リング（２０、２０’）は、前記家庭用電気調理器具、特に、前記器具の付属品（５）に前記保管機構を固定するための機構（２６、２６’）を含む請求項９に記載の家庭用電気器具。
【請求項１１】
前記付属品（５）、および／または、前記固定用リング（２０、２０’）におけるロック用フード（１６、１６’）の取付機構（１７、１７’）は、クリップ式、ネジ式またはソケット式の取付機構などの部類のうちの一つから選択される請求項９または請求項１０に記載の家庭用電気器具。
【請求項１２】
前記各切断用器具（８、８ａ、８ｂ、８ｃ、８ｄ、８ｅ）の本体（８１）は、円錐台状に形作られ、前記付属品（５）の収納室（７）は、前記切断用器具（８、８ａ、８ｂ、８ｃ、８ｄ、８ｅ）の形状と相補形である形状で、収容および保管用ハウジング（７１）を作り出す請求項９乃至請求項１１のうちのいずれかに記載の家庭用電気器具。
【請求項１３】
前記付属品（５）は、前記電動機付のベース（２）から取り外し可能であり、前記電動機付のベース（２）および前記付属品（５）各々は、互いに取り付けられるように付加的な取付機構を含む請求項９乃至請求項１２のうちのいずれかに記載の家庭用電気器具。
【請求項１４】
前記ロック用フード（１６）は、前記収納室（７）の前方縁（７２）、および／または、前記固定用リング（２０）の外壁のロック機構（２３）の前方縁と接触するように設計された留め具（１６１）を有する請求項９乃至請求項１３のうちのいずれかに記載の家庭用電気器具。
【考案の詳細な説明】
【技術分野】
【０００１】
本発明は、重ね合わせることができる幾何学形状の切断用器具を含む家庭用電気調理器具の技術分野に関する。
【０００２】
本発明は、特に、円錐台のような形状にされた切断用器具を保管するための機構に関する。
【背景技術】
【０００３】
欧州特許第２１５９０１４号（特許文献１）は、電動機を収納した電動機付のベース、重ね合わせることができる形状にされた切断用器具のための収納室を備えた付属品、ならびにこの収納室内に互いに積み重ねられた切断用器具のためのロック用フードを含む家庭用電気調理器具を示しており、前記フードはこの付属品をロックする機構を含む。この構成はこの器具が使用されていないとき、切断用器具が器具に保管されることを可能にする。しかしながら、器具が切断用器具のうちの１つと共に使用されているとき、使用されない切断用器具は単にロック用フード内に置かれ、単純な手の動きによってひっくり返ることもあり得る。
【０００４】
したがって、切断用器具および家庭用電気器具を使用しているときに互いに内側に重ね合わせられた器具を保管するための機構を有することは実用上および安全上の理由で価値のあることであり、これは、欧州特許第２１５９０１４号（特許文献１）に提案された単一のロック用フードの不便に煩わされないはずである。
【先行技術文献】
【特許文献】
【０００５】
【特許文献１】欧州特許第２１５９０１４号明細書
【考案の概要】
【課題を解決するための手段】
【０００６】
本発明の１つの目的は、この要求を満たし、重ね合わせることができる幾何学形状を有する切断用器具の保管を改善することである。
【０００７】
この目的は、家庭用電気調理器具のためのロック機構を含み、互いに内側に重ね合わせられた前記切断用器具の少なくともいくつかを保管し覆うことができるフードを備える切断用器具を重ね合わせるための保管機構を使用し本発明に従って達成される。この機構は、フード内に重ね合わせられた切断用器具を固定するための固定用リングと、フードの中の前記器具を少なくとも部分的に固定する前記リングに対する前記重ね合わせられた切断用器具のための少なくとも１つのロック用当り止めも含むリングの付加的なロック機構に接続するように設計されたフードを塞ぐための機構と、を有する。
【０００８】
したがって、フードの中で互いに内側に重ね合わせられたままで使用されていない切断用器具は、万一、前記フードが動かされる場合、固定用リングよってフードの中で固定される。
【０００９】
好ましくは、本発明によれば、この固定用リングは、その外壁に前記付加的なフードロック機構があり、内壁に切断用器具のための少なくとも１つのロック用当り止めがあるリング形状の本体を含む。
【００１０】
好ましくは、固定用リングにおけるロック用フードのロック機構は、クリップ式ロック機構、ネジ式ロック機構またはソケット式ロック機構などの部類のうちの１つの中から選択される。
【００１１】
好ましくは、本発明によれば、本発明の保管機構のリングのロック機構は、リングの外壁上に少なくとも１つの連続した折り返し、または外壁に沿って均一に配された複数の突出部を含む。
【００１２】
本発明の特定の実施例によると、また、保管機構のリングは、家庭用電気調理器具上に取り付け要素も含む。これらの取付要素により、保管機構が、切断用器具が使用される家庭用電気器具に取り付けられることを可能にし、これは、切断用器具が使用されていないとき、装置全体の保管を容易にする。特に、リング取付要素は、欧州特許第２１５９０１４号（特許文献１）に記載されたロック用フードと同様の切断用器具のための収納室のような家庭用電気器具の付属品に、保管機構が引っ掛けられることを可能にするように構成され得る。
【００１３】
一実施例では、好ましくは、保管機構のロック用フードは、互いに内側に重ね合わせられた切断用器具の外郭に嵌合するように形作られ、前記器具は、好ましくは、同一の大きさである。
【００１４】
また、本発明の第２の目的は、電動機および前記電動機のための電気制御部を収容するケースからなる電動機付のベースと、切断用器具のための収納室を含む電動機付のベースの一部である付属品と、互いの内側ならびに付属品収納室内で重ね合わせられることが可能になるように形作られた一組の前記切断用器具と、付属品収納室の中に装着されたこの切断用器具のための接続および回転機構と、および付属品収納室内で互いの中に積み重ねられた前記切断用器具のためのロック用フードと、を備えた家庭用電気調理器具に関する。革新的な方式では、この器具は、少なくとも、互いに内側に重ね合わせになった切断用器具のための固定用リングに取り付けられたロック用フードからなる前述したような重ね合わせになった切断用器具のための保管機構も含む。
【００１５】
より好ましい実施例では、固定用リング保管機構は、この保管機構を家庭用電気調理器具に、特に器具の付属品に取り付けるための機構を含む。
【００１６】
特に、そのような取り付け機構は、例えば、フックであってもよく、またはソケットもしくはネジ、さらには付属品上で弾性変形およびクリップ留めによる機能を使用してもよい。
【００１７】
後述に基づく様々な他の特徴は、添付の図面を参照し包括的でない一例として、本発明の目的を達成するための様々な方法を示す。
【図面の簡単な説明】
【００１８】
【図１】添付の図面において、家庭用電気調理器具、および、本発明の側面図に示される一組の切断用器具のための保管機構を示す。
【図２】本発明の保管機構とともに働く家庭用電気器具の付属品と、前記機構に保管された一組の切断用器具を示すことに限られている図１の縦方向図を示す。
【図３】図２に示された機能ユニット全体をブローアップしたものである。
【図４Ａ】好ましい実施例における本発明の保管機構固定用リングの様々な図である。
【図４Ｂ】好ましい実施例における本発明の保管機構固定用リングの様々な図である。
【図４Ｃ】好ましい実施例における本発明の保管機構固定用リングの様々な図である。
【図５】円錐台状の５個一組の切断用器具を備えた本発明の保管機構を示す。
【図６】本発明の保管機構および機構内に保管された一組の切断用器具と共に働く本発明の家庭用電気器具の付属品における実施例の変形例を、図２と同様の図において示す。
【考案を実施するための形態】
【００１９】
図１は、本発明に従う家庭用電気器具１を示す。家庭用電気器具１は、電動機付のベース２からなり、電動機と、使用者によって器具１が始動および停止可能とされるように、ケース３に配置されたスイッチ４のような制御部品に接続された電動機用の電子制御回路（不図示）とを取り囲むケース３を含む。
【００２０】
図２および図３に詳しく示されるように、切断用付属品５が、ケース３に取り付けられ、好ましくは、ケース３から取り外し可能であり、特に、ネジもしくはソケットを使用してアタッチメントリング６により取り付け可能とされる。切断用付属品５は、その寸法と形状が円錐台のような形状にされた切断用器具８を受け入れて固定するように調節可能とされるインターナルハウジング７１を含む収納室７を含む。
【００２１】
切断用器具８は、円錐台の壁８２に切断用機構を有する円錐台状に形作られた本体８１を含む。本体８１は、少なくとも１つの接続および回転用駆動機構を有する一端部８３を有している。この接続および回転用駆動機構は、図２に示されるように、切断用器具８の下壁８４に形成された雌型の駆動用穴１２を備えている。本体８１の第２の端部８５は、開口し、刻まれた食品のための流出用開口８６を形成する。切断用器具８の本体８１は、好ましくは、一枚以上の薄板金属によって形成された切断用機構８２に成型プラスチックで作製される。変形例では、切断用器具８は、打抜板金から作製されてもよい。
【００２２】
図２および図３にさらに具体的に示されるように、切断用器具８は、上述したように、切断用付属品５の収納室７内で自由に回転するように装着され、駆動軸９に沿って使用可能とされる。この駆動軸９は、電動機付のベース２内に置かれた電動機と共に、後端９１により動作し、切断用器具８と共に前端９２により動作する。切断用器具８と駆動軸９との間の接続は、好ましくは、器具８の下部８４に配置された雌型の接続用穴１２と噛み合うように調節された歯１１を有する雄型の接続用本体１０によりなされる。
【００２３】
収納室７および切断用器具８に対する駆動軸９の同軸性および相対的位置は、後端９１を使って駆動軸９にネジ付けられたロッキングディスク１３によって、もたらされ、駆動軸９が、切断用器具８を受け入れる収納室７の下部に突き当たる。
【００２４】
また、切断用付属品５は、刻まれる食品を挿入するためのシャフト１４も含む。シャフト１４は、収納室７の切り離すことのできない一部となっている。シャフト１４は、収納室７の内部への接続用縦穴１４１と、刻まれる食品をシャフト１４の中に挿入するための挿入穴１４２とをそれぞれ形成する両端で開口する筒状部により形成される。使用者が制御スイッチ４を押圧する場合、駆動軸９および器具１の電動機付のベース２の内側の電動機を中心として回転する切断用器具８を使用し、食品が刻まれることが可能となるように、このシャフト１４は、刻まれる食品を、挿入穴１４２を介しシャフト１４、縦穴１４１の中に押し込むように設計される押し込み用要素１５を受け入れる。
【００２５】
図１乃至図３に示されるように、本発明の家庭用電気器具１は、一組の切断用器具８、８ａ、８ｂ、８ｃ、８ｄ、８ｅを含む。
【００２６】
切断用器具８、８ａ、８ｂ、８ｃ、８ｄ、８ｅ各々は、切断機構８２、８２ａ、８２ｂ、８２ｃ、８２ｄ、８２ｅと、互いに内側に器具８、８ａ、８ｂ、８ｃ、８ｄ、８ｅを重ね合わせて積み重ね、器具の切断用付属品５の収納室７内のハウジング７１内に組み込むことにより、保管可能にするように設計される円錐台状に形作られた本体８１、８１ａ、８１ｂ、８１ｃ、８１ｄ、８１ｅと、を含む。したがって、様々な切断用器具８、８ａ、８ｂ、８ｃ、８ｄ、８ｅは、積み重ねた器具を作るように互いに内側に重ね合わせ可能となるように形作られる。例示された好ましい実施例では、切断用器具８、８ａ、８ｂ、８ｃ、８ｄ、８ｅは、同じ大きさである。
【００２７】
家庭用電気器具１が使用されていない場合、切断用器具８、８ａ、８ｂ、８ｃ、８ｄ、８ｅは、欧州特許第２１５９０１４号（特許文献１）に述べられているように、前記器具８、８ａ、８ｂ、８ｃ、８ｄ、８ｅを収納室７内で、食品を切るために器具８を回転させる場合、駆動軸９の回転軸線でもある積み重ねの軸線に沿って互いに内側に重ね合わせることによって、保管され得る。いったん互いに内側に重ね合わせられたならば、それから、器具８、８ａ、８ｂ、８ｃ、８ｄ、８ｅは、切断用付属品５にある、より詳細には、好ましくは、その収納室７の前方縁７２にあるロック機構１７を含む固定用フード１６によって、所定位置に固定される。
【００２８】
固定尾用フード１６は、互いに内側に積み重ねられた切断用器具８、８ａ、８ｂ、８ｃ、８ｄ、８ｅの外郭と噛み合うように形作られる。
【００２９】
固定用フード１６は、付属品５のロック機構１７によっていったん塞がれるならば、切断用器具８、８ａ、８ｂ、８ｃ、８ｄ、８ｅが互いに相対してずれる、即ち、動くことを阻止するように適切に形作られる。
【００３０】
特に図１乃至図３に示されるように、固定用フード１６のロック機構１７は、付属品５の収納室７の円形の前縁７２を挟み、即ち、留めることによってフード１６を塞ぐように設計されたフック１８により、特に最も単純な方式で形成され得る。そのようなフック１８は、複数の図に示されるように、収納室７内の器具の積み重ねの端で切断用器具８ｅと係合する支持トレイ１６２に取り付けられる固定用フード１６の留め具１６１の端部に配置され得る。もちろん、他の形式のロック機構１７が、本発明の範囲から逸脱することなく、特に、ネジまたはソケットを使用するロック機構がもちろん考慮されてもよい。図１に示されるように、開口１６３を備えた留め具１６１により、付属品５で固定用フード１６内で所定位置に保管された切断用器具８、８ａ、８ｂ、８ｃ、８ｄ、８ｅの一部を見ることができる。また、複数の留め具１６１は、固定用フード１６の装着および取り外しも容易にする。複数の留め具１６１は、収納室７の前方縁７２と相互作用するように設計される。
【００３１】
この形式の実施例だけではないけれど、固定用フード１６は、成型プラスチックから作製されてもよい。
【００３２】
したがって、使用されていない場合、固定用フード１６は、切断用器具８、８ａ、８ｂ、８ｃ、８ｄ、８ｅを、家庭用電気器具１の収納室７内に積み重なった保管状態で保持する。
【００３３】
しかしながら、家庭用電気器具１が使用中の場合、６個の切断用器具８、８ａ、８ｂ、８ｃ、８ｄ、８ｅのうちの１つが、使用され付属品５の収納室７内に装着され、残りの５個の切断用器具、ならびに、固定用フード１６は、家庭用電気器具１の傍にばらばらに置かれていなければならず、または、偶発的にひっくり返される危険性を伴って、上下逆さにされた固定用フード１６内で互いに内側に積み重ねられなければならない。
【００３４】
家庭用電気器具１が使用されている場合、切断用器具８、８ａ、８ｂ、８ｃ、８ｄ、８ｅを保管するとき、この問題に取り組むために、または、家庭用電気器具１の外で切断用器具８、８ａ、８ｂ、８ｃ、８ｄ、８ｅの代替えの保管を容易にするために、本発明は、固定用フード１６と、固定用フード１６と共に働き、例えば、図１および図２に示されるように、これに取り付けられる固定用リング２０と、からなる一組の切断用器具８、８ａ、８ｂ、８ｃ、８ｄ、８ｅのための保管機構１９を提案する。
【００３５】
示される一例において、保管機構１９は、６番目の切断用器具が家庭用電気器具１の収納室７に装着される間、５個の切断用器具８、８ａ、８ｂ、８ｃ、８ｄ、８ｅを収容するために設けられる。
【００３６】
固定用リング２０における様々な図が、図４Ａ乃至図４Ｃに示される。これは、環状型の外壁において外縁を構成する側面２２の位置に、好ましくは、家庭用電気器具１の付属品５の収納室７の前方縁７２とほぼ同一である突出したリップ、即ち、縁２３という形をした固定用フード１６のフック１８の形でロック機構１７の付加的な固定用要素を有し、フック１８を使用してリング２０の縁２３に固定用フード１６を固定し塞ぐ環状型の本体２１からなる。
【００３７】
示される一例において、縁２３は、リング２０の環状型の本体２１の全外縁に沿って連続した縁である。しかしながら、この縁は、特に、リングの環状型の本体２１の周縁で一定の間隔で突出部（不図示）という形で不連続（不図示）であってもよく、フック１８を使って弾性変形およびその縁における留めにより、あるいは、リング２０の縁２３における固定用フード１６を回転させることによるロッキングエフェクト（locking effect）を使うことにより、また、固定用フード１６を固定し塞ぐ。
【００３８】
もちろん、例えば、ネジまたはソケットを使用するロック機構の形のような代替的な形で、固定用フード１６および固定用リング２０の付加的なロック機構１７、２３を作ることは可能である。しかしながら、そのような機構は、より複雑であり、したがって、実施するにはより費用がかかる。
【００３９】
リング２０は、好ましくは、固定用フード１６内に切断用器具８、８ａ、８ｂ、８ｃ、８ｄ、８ｅを保持するためのカラーを構成し、切断用器具８、８ａ、８ｂ、８ｃ、８ｄ、８ｅのための保管機構１９を形成する。そうするために、また、そのリングは、環状型の本体２１の内壁に半径方向に突出し、リング２０の環状型の本体２１における中心に取り付けられた開口２５の直径を局所的に縮小するように、その広い方の第２の端部８５、８５ａ、８５ｂ、８５ｃ、８５ｄ、８５ｅの位置で完全に切断用器具８、８ａ、８ｂ、８ｃ、８ｄ、８ｅの通過を完全に阻止しながら、切断用器具８、８ａ、８ｂ、８ｃ、８ｄ、８ｅの本体８１ａ、８１ｂ、８１ｃ、８１ｄ、８１ｅの部分的な通り抜け可能にする少なくとも１つ、好ましくは、２つの当り止め２４を環状型の本体２１の内壁に含む。
【００４０】
したがって、一組５個の切断用器具８ａ、８ｂ、８ｃ、８ｄ、８ｅを保管機構１９内に保管するために、図５に示されるように、最初に切断用器具８ａ、８ｂ、８ｃ、８ｄ、８ｅを固定用フード１６内で互いに内側に重ね合わせ、それから、その中央の開口２５を使用してもたらされた切断用器具８ａ、８ｂ、８ｃ、８ｄ、８ｅを積み重ねたものの上にリング２０を移動させ、その突出する周縁２３がロック用フード１６の留め具１６１のフック１８にカチリと嵌まるまでロック用フードを押すことで足りる。リング２０とロック用フード１６とがそれらの付加的な取り付け機構によって互いに取り付けられるならば、それから、リング２０の当り止め２４が、積み重ねたものの最後の切断用器具８の第２の端部８５に押し当て、それにより、複数の切断用器具をロック用フード１６とリング２０との間に保持し、切断用器具が保管可能とされ、個々にかつ一様に移動可能とされる。したがって、一組の切断用器具８ａ、８ｂ、８ｃ、８ｄ、８ｅを収容する保管機構１９は、器具が互いに切り離される危険性を伴わずに容易に引き出しまたは食器棚に保管され得る。
【００４１】
さらに、本発明によって提案される保管機構１９は、家庭用電気器具１に取り付けられ、好ましくは、特に付属品５の収納室７の縁７２の位置で取り付けられ得る。そうするために、リング２０は、図１および図２に示されるように、好ましくは、保管機構１９が付属品５の縁７２に留められる固定用フード１６の複数のフック１８と同様な少なくとも２つのフック２６を、環状型の本体２１の外壁に含む。
【００４２】
もちろん、アタッチメントのフック２５は、例えば、ネジまたはソケットを使用した家庭用電気器具１におけるいずれかの類似した取付機構で置き換えられてもよい。
【００４３】
固定用フード１６が単独で使用される場合と同様に、切断用器具８、８ａ、８ｂ、８ｃ、８ｄ、８ｅが家庭用電気器具に直接配置可能とされる家庭用電気器具１に保管機構１９を取り付けることは、容易に可能である。
【００４４】
図６は、収納室７’が図１乃至図５に示された装置の収納室７よりも長く、実際では刻んだ食品の出口にさらに良好に運ぶために収納室７’内に装着された回転器具の縁を超えて延びる家庭用電気器具の軽微な変形例を示している。
【００４５】
この実施例では、器具の残部は、図１乃至図５、特に図２において説明されたものと同様であり、図６では参照数字は、図２のそれらと同一であるがプライム符号（´）が付けられている。したがって、その器具は、リング２０と同一のリング２０’を装備しており、図２における収納室７よりも長い収納室７’の縁に装着され得る。さらに、フード１６’は、好ましくは、フード１６よりも僅かに短い。しかしながら、フード１６’と共にリング２０’は、図２に示されるように、５個の回転器具を保持する。
【００４６】
他の変形例では、家庭用電気器具１における器具８、８ａ、８ｂ、８ｃ、８ｄ、８ｅを保管してロック機構１７、１７’を収容するフード１６、１６’は、必ずしも収納室７、７’に装着されなくてもよい。
【００４７】
本発明によって提案される円錐台の形状の器具を保管する方法は、例えば、食器棚に簡単に保管され得る家庭用電気器具１により、全体として取り散らかすことを顕著に大きくしない。切断用器具８、８ａ、８ｂ、８ｃ、８ｄ、８ｅは、器具自体の中に極めて容易に一体化され、または切断用器具８、８ａ、８ｂ、８ｃ、８ｄ、８ｅを別々に保管するように取り外され得る本発明の保管機構１９、１９’を使用し、経済的かつ簡単に保管され得る。したがって、使用者が、切断用器具８、８ａ、８ｂ、８ｃ、８ｄ、８ｅを常に用意しておくことが可能である。
【００４８】
本発明の家庭用電気器具１の使用および保管の機能は、極めて直感的に分かる。使用者が、例えば、すりおろした、または、切り刻んだ野菜を必要とする料理を調理することを望む場合、その保管部から器具１を取り外し安定した作業場所に電動機付のベース２を据えることで十分である。それから、使用者は、所望の調理に最も適した切断用器具８、８ａ、８ｂ、８ｃ、８ｄ、８ｅを選択する。適切な器具８が選択されたならば、使用者は、それを収納室７、７’に直接的に装着し、前記器具８がその接続用穴により、電動機付のベース２内のモータに接続された駆動軸９、９’の接続用雄型本体にしっかりと接続されていることを確認する。それから、プラグを使用して器具１を配電網に接続し、刻まれる食品をシャフト１４、１４’の中に挿入し、押込式スイッチ４により器具を始動させることで足りる。それから、収納室７、７’に装着された器具８が、駆動軸９、９’およびモータの動作に起因して回転し、必要であれば使用者によって押し込み用要素１５、１５’を使用して押されたシャフト１４、１４’内の食品は、器具８によってすりおろされ、および／または、切り刻まれ、前端８３の穴を介してトレイまたは皿に出される。
【００４９】
その食品が調理されたならば、使用者は、器具１を停止させ、プラグを抜き、それから、洗浄するために収納室７、７’の内部から器具８を取り外し、適切な場合、付属品５が取り外し可能である場合、付属品５を洗浄する。これらの品物が洗浄された場合、互いに内側に積み重ねることによって一組の器具８、８ａ、８ｂ、８ｃ、８ｄ、８ｅを保管機構１９、１９’内に再び保管し、それから、積み重ねた器具８、８ａ、８ｂ、８ｃ、８ｄ、８ｅに配置された固定用リング２０、２０’を使用し、積み重ねた器具を所定位置に固定し、そして、固定用リング２０、２０’の縁２３、２３’上でロック用フード１６、１６’のフック１８、１８’を使用しそれらを留めることで足りる。それから、使用者は、保管機構１９、１９’を食器棚や引き出し内に配置し、または、家庭用電気器具１の付属品５の収納室７の縁７２に保管機構を取り付ける。
【００５０】
好ましい方式である、示された特定の一例では、切断用器具８、８ａ、８ｂ、８ｃ、８ｄ、８ｅは、容易に積み重ね、小型化し効果的な食品の切断を確実にする円錐台状の型式である。しかしながら、積み重ねにおける小型化は、円錐体の角度、および、器具の壁の厚さ双方によることに留意されたい。
【００５１】
器具を保管するための解決策の以下の利点が、本発明によってもたらされる。
【００５２】
複数のすべての器具が、容器または家庭用電気器具内の付加的な空間を必要とすることなく小さく、安全に配置されること、積み重ねた器具の散らばりが、できり限り少ないこと、保管場所が、器具における手が届いて見える部分に配置され、複数の器具が常に利用可能とされること、最後に、この保管解決策は、単純であり、かつ極めて低価格であることである。
【図１】
0003186292.tif 000003
【図２】
0003186292.tif 000004
【図３】
0003186292.tif 000005
【図４Ａ】
0003186292.tif 000006
【図４Ｂ】
0003186292.tif 000007
【図４Ｃ】
0003186292.tif 000008
【図５】
0003186292.tif 000009
【図６】
0003186292.tif 000010
【手続補正書】
【提出日】平成25年6月28日(2013.6.28)
【手続補正１】
【補正対象書類名】明細書
【補正対象項目名】００１８
【補正方法】変更
【補正の内容】
【００１８】
【図１】添付の図面において、家庭用電気調理器具、および、本発明の側面図に示される一組の切断用器具のための保管機構を示す。
【図２】本発明の保管機構とともに働く家庭用電気器具の付属品と、前記機構に保管された一組の切断用器具を示すことに限られている図１の縦方向断面図を示す。
【図３】図２に示された機能ユニット全体をブローアップしたものである。
【図４Ａ】好ましい実施例における本発明の保管機構固定用リングの様々な図である。
【図４Ｂ】好ましい実施例における本発明の保管機構固定用リングの様々な図である。
【図４Ｃ】好ましい実施例における本発明の保管機構固定用リングの様々な図である。
【図５】円錐台状の５個一組の切断用器具を備えた本発明の保管機構を示す。
【図６】本発明の保管機構および機構内に保管された一組の切断用器具と共に働く本発明の家庭用電気器具の付属品における実施例の変形例を、図２と同様の図において示す。
【手続補正２】
【補正対象書類名】明細書
【補正対象項目名】００３５
【補正方法】変更
【補正の内容】
【００３５】
示される一例において、保管機構１９は、６番目の切断用器具が家庭用電気器具１の収納室７に装着される間、５個の切断用器具８ａ、８ｂ、８ｃ、８ｄ、８ｅを収容するために設けられる。
【手続補正３】
【補正対象書類名】明細書
【補正対象項目名】００３９
【補正方法】変更
【補正の内容】
【００３９】
リング２０は、好ましくは、固定用フード１６内に切断用器具８、８ａ、８ｂ、８ｃ、８ｄ、８ｅを保持するためのカラーを構成し、切断用器具８、８ａ、８ｂ、８ｃ、８ｄ、８ｅのための保管機構１９を形成する。そうするために、また、そのリングは、環状型の本体２１の内壁に半径方向に突出し、リング２０の環状型の本体２１における中心に取り付けられた開口２５の直径を局所的に縮小するように、その広い方の第２の端部８５、８５ａ、８５ｂ、８５ｃ、８５ｄ、８５ｅの位置で完全に切断用器具８、８ａ、８ｂ、８ｃ、８ｄ、８ｅの通過を完全に阻止しながら、切断用器具８、８ａ、８ｂ、８ｃ、８ｄ、８ｅの本体８１、８１ａ、８１ｂ、８１ｃ、８１ｄ、８１ｅの部分的な通り抜け可能にする少なくとも１つ、好ましくは、２つの当り止め２４を環状型の本体２１の内壁に含む。
【手続補正４】
【補正対象書類名】明細書
【補正対象項目名】００４２
【補正方法】変更
【補正の内容】
【００４２】
もちろん、アタッチメントのフック２６は、例えば、ネジまたはソケットを使用した家
庭用電気器具１におけるいずれかの類似した取付機構で置き換えられてもよい。
【手続補正５】
【補正対象書類名】実用新案登録請求の範囲
【補正対象項目名】全文
【補正方法】変更
【補正の内容】
【実用新案登録請求の範囲】
【請求項１】
互いに内側に重ね合わされた複数の切削用器具（８、８ａ、８ｂ、８ｃ、８ｄ、８ｅ）の少なくともいくつかを収容し少なくとも部分的に覆うためのフード（１６、１６’）であって食品を調理するための家庭用電気器具（１）におけるロック機構（１７、１７’）を含むフードを含み、重ね合わせた前記切削用器具（８、８ａ、８ｂ、８ｃ、８ｄ、８ｅ）を保管するための機構（１９、１９’）であって、
前記フード（１６、１６’）内に重ね合わされた前記切削用器具（８、８ａ、８ｂ、８ｃ、８ｄ、８ｅ）のための固定用リング（２０、２０’）を含み、
前記フード（１６、１６’）のための前記ロック機構（１７、１７’）が、前記フードの内側で前記複数の器具を少なくとも部分的に保持する前記リングに対し前記積み重ねられた切削用器具（８、８ａ、８ｂ、８ｃ、８ｄ、８ｅ）のための少なくとも１つのロック用当り止め（２４、２４’）を含む前記固定用リング（２０、２０’）の付加的なロック機構（２３、２３’）と接触するように設計されていることを特徴とする保管機構（１９、１９’）。
【請求項２】
前記固定用リング（２０、２０’）は、環状型の本体（２１）と、フード（１６、１６’）のロック機構（１７、１７’）に加えて前記ロック機構（２３、２３’）からなる外壁と、内壁において切削用器具のための少なくとも１つのロック用当り止め（２４）と、を含む請求項１に記載の保管機構（１９、１９’）。
【請求項３】
前記固定用リング（２０、２０’）において、フード（１６、１６’）のロック機構（１７、１７’）は、クリップ式、ネジ式またはソケット式のロック機構などの部類のうちの一つから選択される請求項１または請求項２に記載の保管機構（１９）。
【請求項４】
本発明の前記保管機構の前記固定用リング（２０、２０’）の前記ロック機構は、前記固定用リング（２０、２０’）の前記外壁に突出する少なくとも１つの連続した帯状片（２３、２３’）、または、前記外壁に均一に広がって突出する複数の部分を含む請求項１乃至請求項３のうちのいずれかに記載の保管機構。
【請求項５】
前記保管機構の前記固定用リング（２０、２０’）は、食品を調理するための家庭用電気器具（１）における取付要素（２６、２６’）も含む請求項１乃至請求項４のうちのいずれかに記載の保管機構。
【請求項６】
前記フード（１６、１６’）は、互いに内側に積み重ねられた切削用器具（８、８ａ、８ｂ、８ｃ、８ｄ、８ｅ）の外郭に合うように形作られる請求項１乃至請求項５のうちのいずれかに記載の保管機構（１９、１９’）。
【請求項７】
前記複数の切削用器具（８、８ａ、８ｂ、８ｃ、８ｄ、８ｅ）は、同一の大きさである請求項１乃至請求項６のうちのいずれかに記載の保管機構（１９、１９’）。
【請求項８】
前記フード（１６）は、付属品（５）における該ロック用フード（１６）内の所定位置に収容された切削用器具（８、８ａ、８ｂ、８ｃ、８ｄ、８ｅ）の少なくともいくつかを見ることができる少なくとも１つの開口（１６３）を有する請求項１乃至請求項７のうちのいずれかに記載の保管機構。
【請求項９】
電動機および該電動機のための電気制御部（４）を取り囲むケース（３）からなる電動機付のベース（２）と、複数の切削用器具（８、８ａ、８ｂ、８ｃ、８ｄ、８ｅ）を保持するための収納室（７、７’）を含む前記電動機付のベースと切り離すことが出来ない一部分である付属品（５）とを有する食品を調理するための家庭用電気器具（１）であって、一組の前記切削用器具（８、８ａ、８ｂ、８ｃ、８ｄ、８ｅ）は、前記付属品の収納室（７、７’）、前記付属品の収納室内に装着された前記切削用器具を回転させるための接続駆動機構、請求項１に記載の切削用器具を重ね合わせるための保管機構（１９、１９’）も含む前記付属品の収納室内で互いに内側に積み重ねられた前記切削用器具のためのロック用フード（１６、１６’）が積み重ねられるために切削用器具が互いに内側に重ね合わせることができるように形作られ、前記保管機構は、互いに内側に重ね合わされた切削用器具のための固定用リング（２０、２０’）と嵌めあうロック用フード（１６、１６’）を含む家庭用電気器具。
【請求項１０】
前記保管機構（１９、１９’）の前記固定用リング（２０、２０’）は、前記家庭用電気調理器具、特に、前記器具の付属品（５）に前記保管機構を固定するための機構（２６、２６’）を含む請求項９に記載の家庭用電気器具。
【請求項１１】
電動機および該電動機のための電気制御部（４）を取り囲むケース（３）からなる電動機付のベース（２）と、複数の切削用器具（８、８ａ、８ｂ、８ｃ、８ｄ、８ｅ）を保持するための収納室（７、７’）を含む前記電動機付のベースと切り離すことが出来ない一部分である付属品（５）とを有する食品を調理するための家庭用電気器具（１）であって、一組の前記切削用器具（８、８ａ、８ｂ、８ｃ、８ｄ、８ｅ）は、前記付属品の収納室（７、７’）、前記付属品の収納室内に装着された前記切削用器具を回転させるための接続駆動機構、請求項１に記載の切削用器具を重ね合わせるための保管機構（１９、１９’）も含み互いに内側に積み重ねられた前記切削用器具のためのロック用フード（１６、１６’）が積み重ねられるために切削用器具が互いに内側に重ね合わせることができるように形作られ、前記保管機構は、互いに内側に重ね合わされた切削用器具のための固定用リング（２０、２０’）と嵌めあうロック用フード（１６、１６’）を含む家庭用電気器具。
【請求項１２】
前記付属品（５）、および／または、前記固定用リング（２０、２０’）における前記ロック用フード（１６、１６’）のロック機構（１７、１７’）は、クリップ式、ネジ式またはソケット式の取付機構などの部類のうちの一つから選択される請求項９乃至請求項１１のうちのいずれかに記載の家庭用電気器具。
【請求項１３】
前記各切削用器具（８、８ａ、８ｂ、８ｃ、８ｄ、８ｅ）の本体（８１）は、円錐台状に形作られ、付属品（５）の収納室（７）は、前記切削用器具（８、８ａ、８ｂ、８ｃ、８ｄ、８ｅ）の形状と相補形である形状で、収容および保管用ハウジング（７１）を作り出す請求項９乃至請求項１２のうちのいずれかに記載の家庭用電気器具。
【請求項１４】
前記付属品（５）は、電動機付のベース（２）から取り外し可能であり、前記電動機付のベース（２）および前記付属品（５）各々は、互いに取り付けられるように付加的な取付機構を含む請求項９乃至請求項１３のうちのいずれかに記載の家庭用電気器具。
【請求項１５】
前記ロック用フード（１６）は、前記収納室（７）の前方縁（７２）、および／または、前記固定用リング（２０）の外壁のロック機構（２３）の前方縁と接触するように設計された留め具（１６１）を有する請求項９乃至請求項１４のうちのいずれかに記載の家庭用電気器具。
【手続補正６】
【補正対象書類名】図面
【補正対象項目名】図２
【補正方法】変更
【補正の内容】
【図２】
0003186292.tif 000011
【手続補正７】
【補正対象書類名】図面
【補正対象項目名】図３
【補正方法】変更
【補正の内容】
【図３】
0003186292.tif 000012